(57)【要約】【課題】反射部材より物体側に複数のレンズ群が配置された屈曲光学系を内包したレンズ鏡胴であっても、簡便な機構で、非撮影時には薄型コンパクトとなるレンズ鏡胴を得、該レンズ鏡胴を備えることで薄型コンパクトな撮像装置を得る。【解決手段】光軸を折り曲げる反射部材と、反射部材の物体側に少なくとも２つのレンズ群が配置されたレンズ鏡胴において、撮影状態から非撮影状態への変化に際し、反射部材と、反射部材の物体側の最も近くに配置されたレンズ群とを、入射光軸方向から見て、反射部材の物体側の最も近くに配置されたレンズ群より物体側のレンズ群を保持する筒状部材の内側で、それぞれ異なる方向に回動させ、反射部材の物体側の最も近くに配置されたレンズ群より物体側のレンズ群を沈胴させるレンズ鏡胴とする。【選択図】図３
2009181102.tif 000002
【特許請求の範囲】
【請求項１】
光軸を折り曲げる反射部材と、前記反射部材の物体側に少なくとも２つのレンズ群が配置されたレンズ鏡胴において、
撮影状態から非撮影状態への変化に際し、
前記反射部材と前記反射部材の物体側の最も近くに配置されたレンズ群とを、入射光軸方向から見て、前記反射部材の物体側の最も近くに配置されたレンズ群より物体側のレンズ群を保持する筒状部材の内側で、それぞれ異なる方向に回動させ、
少なくとも前記反射部材の物体側の最も近くに配置されたレンズ群及び該レンズ群より物体側のレンズ群を光軸方向に移動させることを特徴とするレンズ鏡胴。
【請求項２】
光軸を折り曲げる反射部材と、前記反射部材の物体側に少なくとも２つのレンズ群が配置されたレンズ鏡胴において、
撮影状態から非撮影状態への変化に際し、
前記反射部材又は前記反射部材の物体側の最も近くに配置されたレンズ群を、入射光軸方向から見て、前記反射部材の物体側の最も近くに配置されたレンズ群より物体側のレンズ群を保持する筒状部材の内側で回動させ、
少なくとも前記反射部材の物体側の最も近くに配置されたレンズ群及び該レンズ群より物体側のレンズ群を光軸方向に移動させることを特徴とするレンズ鏡胴。
【請求項３】
光軸を折り曲げる反射部材と、前記反射部材の物体側に少なくとも２つのレンズ群が配置されたレンズ鏡胴において、
撮影状態から非撮影状態への変化に際し、
前記反射部材と前記反射部材の物体側の最も近くに配置されたレンズ群とを、入射光軸方向から見て、前記反射部材の物体側の最も近くに配置されたレンズ群より物体側のレンズ群を保持する筒状部材の内側で、同方向に回動させ、
少なくとも前記反射部材の物体側の最も近くに配置されたレンズ群より物体側のレンズ群を光軸方向に移動させることを特徴とするレンズ鏡胴。
【請求項４】
請求項１〜３のいずれか一項に記載のレンズ鏡胴を備えたことを特徴とする撮像装置。
【発明の詳細な説明】
【技術分野】
【０００１】
本発明は、光学系内に反射部材が配置された屈曲光学系を内包し、特に、反射部材より物体側のレンズ群を沈胴させるよう構成されたレンズ鏡胴に関するものである。
【背景技術】
【０００２】
従来より、光学系中に反射面を配置し、光軸を折り曲げた所謂屈曲光学系を備えた撮像装置が知られている。反射部材より物体側に少数のレンズ群を固定配置した屈曲光学系を用いることで、複雑な沈胴機構を採用することなく容易に撮像装置を薄型化したものがある。
【０００３】
一方、撮像装置は、より高変倍の光学系の搭載が望まれており、反射部材より物体側に配置されるレンズ群を光軸方向に移動させるものが提案されている。このような、高変倍の屈曲光学系は、反射部材より物体側に配置されたレンズ群も構成枚数が多く、且つ撮影時には反射部材から離間するように光軸方向に移動させる必要があるものが多い。このため、非撮影時に撮像装置がコンパクトになるよう、反射部材及び該反射部材近傍のレンズ群を退避移動させ、反射部材より物体側に配置されたレンズ群を像面側に移動させるものが知られている（例えば、特許文献１参照）。
【特許文献１】特開２００７−１１４４４７号公報
【発明の開示】
【発明が解決しようとする課題】
【０００４】
しかしながら、上記特許文献１に記載の撮影レンズユニットは、いかにして反射部材等を退避移動させ、反射部材より物体側に配置されたレンズ群を沈胴させるか等の機構については記載がない。
【０００５】
本発明は、反射部材より物体側に複数のレンズ群が配置された屈曲光学系を内包したレンズ鏡胴であっても、簡便な機構で、非撮影時には薄型コンパクトとなるレンズ鏡胴を得、該レンズ鏡胴を備えることで薄型コンパクトな撮像装置を得ることを目的とするものである。
【課題を解決するための手段】
【０００６】
上記の目的は、下記構成により解決される。
【０００７】
１）  光軸を折り曲げる反射部材と、前記反射部材の物体側に少なくとも２つのレンズ群が配置されたレンズ鏡胴において、撮影状態から非撮影状態への変化に際し、前記反射部材と前記反射部材の物体側の最も近くに配置されたレンズ群とを、入射光軸方向から見て、前記反射部材の物体側の最も近くに配置されたレンズ群より物体側のレンズ群を保持する筒状部材の内側で、それぞれ異なる方向に回動させ、少なくとも前記反射部材の物体側の最も近くに配置されたレンズ群及び該レンズ群より物体側のレンズ群を光軸方向に移動させることを特徴とするレンズ鏡胴。
【０００８】
２）  光軸を折り曲げる反射部材と、前記反射部材の物体側に少なくとも２つのレンズ群が配置されたレンズ鏡胴において、撮影状態から非撮影状態への変化に際し、前記反射部材又は前記反射部材の物体側の最も近くに配置されたレンズ群を、入射光軸方向から見て、前記反射部材の物体側の最も近くに配置されたレンズ群より物体側のレンズ群を保持する筒状部材の内側で回動させ、少なくとも前記反射部材の物体側の最も近くに配置されたレンズ群及び該レンズ群より物体側のレンズ群を光軸方向に移動させることを特徴とするレンズ鏡胴。
【０００９】
３）  光軸を折り曲げる反射部材と、前記反射部材の物体側に少なくとも２つのレンズ群が配置されたレンズ鏡胴において、撮影状態から非撮影状態への変化に際し、前記反射部材と前記反射部材の物体側の最も近くに配置されたレンズ群とを、入射光軸方向から見て、前記反射部材の物体側の最も近くに配置されたレンズ群より物体側のレンズ群を保持する筒状部材の内側で、同方向に回動させ、少なくとも前記反射部材の物体側の最も近くに配置されたレンズ群より物体側のレンズ群を光軸方向に移動させることを特徴とするレンズ鏡胴。
【００１０】
４）  １）〜３）のいずれかに記載のレンズ鏡胴を備えたことを特徴とする撮像装置。
【発明の効果】
【００１１】
本発明によれば、反射部材の物体側に複数枚のレンズ群を有する屈曲光学系であっても、簡便な機構で、非撮影時には薄型コンパクトとなるレンズ鏡胴及び撮像装置を得ることが可能となる。
【発明を実施するための最良の形態】
【００１２】
以下、実施の形態により本発明を詳しく説明するが、本発明はこれに限定されるものではない。
【００１３】
図１は、本実施の形態に係るレンズ鏡胴を備えた撮像装置の一例であるカメラ１００の主要構成ユニットの内部配置の一例を示す斜視図である。
【００１４】
同図に示すように、カメラ１００は、変倍可能な折り曲げ撮像光学系を内包したレンズ鏡胴５０が図示の如く横長に配置されている。１１は最も物体側に配置された第１レンズである。なお第１レンズ１１を露呈する開状態と第１レンズ１１を覆った閉状態とするレンズバリア（不図示）が設けられていてもよい。
【００１５】
５２はフラッシュ発光窓であり、５３はフラッシュ発光窓の後方に配置された反射傘、キセノン管、その他メインコンデンサ、回路基板等で構成されるフラッシュユニットである。５５は電池であり、本カメラの各部へ電源を供給する。電池５５及び不図示の画像記録用メモリは、図示しない蓋部から挿脱が可能となっている。
【００１６】
本カメラの上面には、レリーズ釦５６が配置され、その１段の押し込みによりカメラの撮影準備動作、即ち焦点合わせ動作や測光動作が行われ、その２段の押し込みにより撮影露光動作が行われる。５７はメインスイッチであり、カメラを動作状態と非動作状態に切り替えるスイッチである。
【００１７】
本カメラの背面には、ＬＣＤ或いは有機ＥＬ等で構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。
【００１８】
また、不図示であるが、これら主要構成ユニットの間には、各部を接続すると共に、各種電子部品が搭載された回路基板が配置され、各主要構成ユニットの駆動及び制御を行うようになっている。同様に、不図示であるが、外部入出力端子、ストラップ取り付け部、三脚座等を備えている。
【００１９】
図２は、本実施の形態に係るレンズ鏡胴５０を示す図である。同図（ａ）はレンズ鏡胴５０の全体の概要を示す外観斜視図であり、同図（ｂ）は撮影時のテレ端（望遠端）時の各レンズ群の概略位置を示す断面図であり、同図（ｃ）は撮影時におけるワイド端（広角端）時の各レンズ群の概略位置を示す断面図である。なお、同図（ｂ）、（ｃ）は、折り曲げ前の光軸ＯＡ及び折り曲げ後の光軸ＯＢを含む面で切断した断面を示している。
【００２０】
同図に示すように、レンズ鏡胴５０には、物体側より第１レンズ群１１、第２レンズ群１２が配置されている。第１レンズ群１１を保持する第１レンズ群鏡枠１１ｋは円筒状に形成され、不図示のカムピンが第１レンズ群鏡枠１１ｋに植設されている。カムピンは、中間筒４３の直進案内溝を介し、カム筒４２の内筒面に形成された不図示の内カムに係合している。即ち、カム筒４２の回転で第１レンズ群鏡枠１１ｋ及び第１レンズ群１１は移動可能となっている。
【００２１】
また、カム筒４２は、モータ及びギアユニットで構成された第１駆動ユニット３１により回転させられ、カム筒４２に植設されたカムピンと固定胴４１に形成された内カムとの係合により、固定胴４１に対し相対移動可能となっている。
【００２２】
第２レンズ群１２の像面側には、反射部材であるプリズムＰが配置され、第１レンズ群１１及び第２レンズ群１２の光軸を略９０°折り曲げている。プリズムＰの像面側には第３レンズ群１３が配置されている。本例においては、プリズムＰ及び第３レンズ群１３は、一体的に第３レンズ群鏡枠１３ｋに保持されている。
【００２３】
第３レンズ群１３の像面側には、第４レンズ群１４が配置されている。本例においては、第４レンズ群１４は、レンズ１４ａ〜１４ｄの４枚のレンズが、一体的に第４レンズ群鏡枠１４ｋに保持されている。この第４レンズ群鏡枠１４ｋには、ガイド軸１６が貫通嵌合するスリーブ部と、ガイド軸１７により回転規制される回転規制部が形成され、ガイド軸１６、１７に沿って移動できるようになっている。更に、第４レンズ群鏡枠１４ｋは、撮影時のズーミング（変倍）時に、ステッピングモータ３２に連設された不図示のリードスクリューによって所定の位置に移動させられるようになっている。
【００２４】
第４レンズ群１４の像面側には、第５レンズ群１５が配置されている。第５レンズ群１５は、第５レンズ群鏡枠１５ｋに保持されている。この第５レンズ群鏡枠１５ｋにも、ガイド軸１６が貫通嵌合するスリーブ部と、ガイド軸１７により回転規制される回転規制部が形成され、ガイド軸１６、１７に沿って移動できるようになっている。更に、第５レンズ群鏡枠１５ｋは、撮影時のズーミング時及びフォーカシング時に、ステッピングモータ３３に連設された不図示のリードスクリューによって所定の位置に移動させられるようになっている。
【００２５】
ＯＦは、赤外光カットフィルタ及び光学的ローパスフィルタが積層された光学フィルタである。更に、不図示の撮像素子が光学フィルタＯＦの像面側に配置されている。
【００２６】
（第１の実施の形態）
図３は、第１の実施の形態に係るレンズ鏡胴の撮影状態と非撮影状態の、プリズムＰを保持する第３レンズ群鏡枠１３ｋと、第２レンズ群鏡枠１２ｋの状態を示す図である。同図は、第１レンズ群側から見た、プリズムＰを保持する第３レンズ群鏡枠１３ｋと、第２レンズ群鏡枠１２ｋを抜き出して示した正面図である。同図（ａ）は、撮影状態を示し、同図（ｂ）は非撮影状態を示している。
【００２７】
同図（ａ）に示す撮影状態においては、第２レンズ群１２の光軸は第１レンズ群１１側からみて図示のように、光軸ＯＡと略一致する位置にあり、プリズムＰは第２レンズ群１２の後方に位置している。
【００２８】
第２レンズ群鏡枠１２ｋは、軸１２ｊを軸にして回動可能に軸止されている。さらに、不図示のバネにより図示反時計回り方向に付勢されており、ストッパ１８に当接した状態となっている。
【００２９】
また、プリズムＰ及び第３レンズ群１３を保持する第３レンズ群鏡枠１３は、軸１３ｊを軸にして回動可能に軸止されている。さらに、不図示のバネにより図示反時計回り方向に付勢されており、ストッパ１９に当接した状態となっている。
【００３０】
同図（ｂ）に示す非撮影状態では、図示の如く、第２レンズ群鏡枠１２ｋは不図示のバネの付勢力に抗して、軸１２ｊを軸にして時計回り方向に回動させると共に、紙面裏面方向に移動させるようになっている。プリズムＰ及び第３レンズ群１３を保持する第３レンズ群鏡枠１３は、不図示のバネの付勢力に抗して、軸１３ｊを軸にして時計回り方向に回動させると共に、光軸ＯＡ方向の紙面裏面方向に移動させるようになっている。
【００３１】
即ち、第１の実施の形態のレンズ鏡胴５０は、第２レンズ群１２とプリズムＰが光軸ＯＡに沿って並んだ撮影状態から、非撮影状態では、それぞれを異なる方向に回動させると共に、後退させるものである。これにより、第１レンズ群鏡枠１１ｋの内側に光軸ＯＡ方向に第２レンズ群鏡枠１２ｋの厚み分及び光軸方向移動分の空間を作ることができ、この空間を利用して、第２レンズ群１２より物体側の第１レンズ群１１を沈胴させるものである。
【００３２】
図４は、第２レンズ群鏡枠１２ｋの回動及び移動の機構の一例を示す模式図である。同図は、第２レンズ群鏡枠１２ｋの撮影時の状態を示している。
【００３３】
同図に示す第２レンズ群鏡枠１２ｋに形成されたスリーブ部１２ｓは、軸１２ｊに対し回転、摺動が可能に嵌合している。２４は抜け止めである。第２レンズ群鏡枠１２ｋは、バネ２２により物体側方向に付勢されると共に、軸１２ｊの反時計回り方向に付勢され、ストッパ１８に当接している。スリーブ部１２ｓには、細径のピン部１２ｐが形成されている。ピン部１２ｐの近傍には、板カム部２０が図示の如く形成されている。
【００３４】
撮影状態から非撮影状態への変化に際して、不図示の中間筒４３（図２参照）が図示矢印Ａの方向に移動する。中間筒の矢印Ａ方向への移動により、中間筒の端面はピン部１２ｐに当接し、更にバネ２２の付勢力に抗してピン部１２ｐを押し下げる。このとき、ピン部１２ｐは、板カム部２０の傾斜カム面２０ａにより、軸１２ｊを中心に物体側から見て時計回り方向に回動させられる。これにより、第２レンズ群鏡枠１２ｋはプリズムＰ側に移動しながら図示矢印Ｂの方向に回動する。
【００３５】
中間筒を更に図示矢印Ａの方向に移動させると、ピン部１２ｐは、板カム部２０の面２０ｂに沿ってそのままプリズムＰ側に移動させられることになる。
【００３６】
なお、プリズムＰが保持されている第３レンズ群鏡枠１３ｋも、同様の回動及び移動の機構を用いることで、軸１３ｊを回動中心にして回動させると共に、紙面裏面方向に移動させることができる。但し、動作タイミングとしては、第２レンズ群鏡枠１２ｋと第３レンズ群鏡枠１３ｋが干渉するのを避けるため、第３レンズ群鏡枠１３ｋを先に回動させた後、第２レンズ群鏡枠１２ｋを回動させるよう設定されていることが好ましい。
【００３７】
図５は、第１の実施の形態に係るレンズ鏡胴の非撮影時の第１レンズ群１１を沈胴させた状態を示す模式断面図である。
【００３８】
上述の、第２レンズ群鏡枠１２ｋと第３レンズ群鏡枠１３ｋの回動及び光軸に平行な方向の移動によりできた空間を利用して、反射部材の物体側の最も近くの第２レンズ群１２より物体側に配置されている第１レンズ群１１を沈胴させる。
【００３９】
同図に示すように、第２レンズ群鏡枠１２ｋと第３レンズ群鏡枠１３ｋは、回動後も第１レンズ群鏡枠１１ｋの内側にあり、第２レンズ群鏡枠１２ｋと第３レンズ群鏡枠１３ｋの退避のスペースは不要である。これにより、非撮影時の状態でもレンズ鏡胴の外形を小型に維持することができる。なお、このプリズムＰ及び第３レンズ群１３を保持する第３レンズ群鏡枠１３は、回動のみ行うようにしてもよく、この場合には第２レンズ群鏡枠１２ｋの厚み分の空間ができ、この空間に、第１レンズ群１１を沈胴させるものとなる。
【００４０】
（第２の実施の形態）
図６は、第２の実施の形態に係るレンズ鏡胴の撮影状態と非撮影状態の、プリズムＰを保持する第３レンズ群鏡枠１３ｋと、第２レンズ群鏡枠１２ｋの状態を示す図である。同図は、第１レンズ群側から見た、プリズムＰを保持する第３レンズ群鏡枠１３ｋと、第２レンズ群鏡枠１２ｋを抜き出して示した正面図である。同図（ａ）は、撮影状態を示し、同図（ｂ）は非撮影状態を示している。
【００４１】
同図（ａ）に示す撮影状態においては、第２レンズ群１２の光軸は第１レンズ群１１側からみて図示のように、光軸ＯＡと略一致する位置にあり、プリズムＰは第２レンズ群１２の後方に位置している。
【００４２】
第２レンズ群鏡枠１２ｋは、軸１２ｊを軸にして回動可能に軸止されている。さらに、不図示のバネにより図示時計回り方向に付勢されており、ストッパ１８に当接した状態となっている。また、プリズムＰ及び第３レンズ群１３を保持する第３レンズ群鏡枠１３は固定されている。第２レンズ群鏡枠１２ｋは、図４に示したものと同様の機構により軸１２ｊを軸にして回動させられる。
【００４３】
同図（ｂ）に示す非撮影状態では、第２レンズ群鏡枠１２ｋは、不図示のバネの付勢力に抗して、軸１２ｊを軸にして反時計回り方向に回動させると共に、紙面裏面方向に移動させるようになっている。
【００４４】
即ち、第２の実施の形態のレンズ鏡胴５０は、第２レンズ群１２とプリズムＰが光軸ＯＡに沿って並んだ撮影状態から、非撮影状態では、反射部材の物体側の最も近くに配置された第２レンズ群を、筒状部材である第１レンズ群鏡枠１１ｋの内側で回動させると共に、後退させるものである。これにより、第１レンズ群鏡枠１１ｋの内側に光軸ＯＡ方向に第２レンズ群鏡枠１２ｋの厚み分の空間を作ることができ、この空間を利用して、第２レンズ群１２より物体側の第１レンズ群１１を沈胴させるものである。
【００４５】
図７は、第２の実施の形態に係るレンズ鏡胴の非撮影時の第１レンズ群１１を沈胴させた状態を示す模式断面図である。
【００４６】
上述の、第２レンズ群鏡枠１２ｋの回動及び光軸に平行な方向の移動によりできた空間を利用して、第１レンズ群１１を沈胴させる。
【００４７】
同図に示すように、第２レンズ群鏡枠１２ｋと第３レンズ群鏡枠１３ｋは、共に第１レンズ群鏡枠１１ｋの内側にあり、第２レンズ群鏡枠１２ｋと第３レンズ群鏡枠１３ｋの退避のスペースは不要である。これにより、非撮影時の状態でもレンズ鏡胴の外形を小型に維持することができる。
【００４８】
なお、第２の実施の形態では、第２レンズ群鏡枠１２ｋに回動及び光軸方向の移動を行わせ、プリズムＰを保持した第３レンズ群鏡枠１３ｋは回動しないもので説明したが、第２レンズ群鏡枠１２ｋは回動させずに光軸方向にのみ移動可能に構成し、プリズムＰを保持した第３レンズ群鏡枠１３ｋを同様の機構で回動させ、第２レンズ群鏡枠１２ｋ及び第１レンズ群を光軸方向に移動させ沈胴させてもよい。
【００４９】
（第３の実施の形態）
図８は、第３の実施の形態に係るレンズ鏡胴の撮影状態と非撮影状態の、プリズムＰを保持する第３レンズ群鏡枠１３ｋと、第２レンズ群鏡枠１２ｋの状態を示す図である。同図は、第１レンズ群側から見た、プリズムＰを保持する第３レンズ群鏡枠１３ｋと、第２レンズ群鏡枠１２ｋを抜き出して示した正面図である。同図（ａ）は、撮影状態を示し、同図（ｂ）は非撮影状態を示している。
【００５０】
同図（ａ）に示す撮影状態においては、第２レンズ群１２の光軸は第１レンズ群１１側からみて図示のように、光軸ＯＡと略一致する位置にあり、プリズムＰは第２レンズ群１２の後方に位置している。
【００５１】
第２レンズ群鏡枠１２ｋ及びプリズムＰと第３レンズ群を保持する第３レンズ群鏡枠１３ｋは、軸１２ｊを軸にして回動可能に軸止されている。さらに、不図示のバネにより図示反時計回り方向に付勢されており、ストッパ１８に当接した状態となっている。第２レンズ群鏡枠１２ｋ及び第３レンズ群鏡枠１３ｋは、図４に示したものと同様の機構により軸１２ｊを軸にして一体的に回動させられる。
【００５２】
同図（ｂ）に示す非撮影状態では、第２レンズ群鏡枠１２ｋ及び第３レンズ群鏡枠１３ｋは、不図示のバネの付勢力に抗して、軸１２ｊを軸にして時計回り方向に回動させるようになっている。
【００５３】
即ち、第３の実施の形態のレンズ鏡胴５０は、非撮影状態では、反射部材の物体側の最も近くに配置された第２レンズ群とプリズムＰを、筒状部材である第１レンズ群鏡枠１１ｋの内側で回動させるものである。これにより、第１レンズ群鏡枠１１ｋの内側に光軸ＯＡ近傍に空間を作ることができ、この空間を利用して、第２レンズ群１２より物体側の第１レンズ群１１を沈胴させるものである。
【００５４】
図９は、第３の実施の形態に係るレンズ鏡胴の非撮影時の第１レンズ群１１を沈胴させた状態を示す模式断面図である。同図は図８に示すＣ−Ｃ線で切断した断面を示している。
【００５５】
上述の、第２レンズ群鏡枠１２ｋ及び第３レンズ群鏡枠１３ｋの回動により、光軸ＯＡ近傍にできた空間を利用して、第１レンズ群１１を沈胴させる。なお、第２レンズ群鏡枠１２ｋ及び第３レンズ群鏡枠１３ｋも、回動後の位置で光軸方向に移動させてもよい。
【００５６】
同図に示すように、第２レンズ群鏡枠１２ｋと第３レンズ群鏡枠１３ｋは、共に第１レンズ群鏡枠１１ｋの内側にあり、第２レンズ群鏡枠１２ｋと第３レンズ群鏡枠１３ｋの退避のスペースは不要である。これにより、非撮影時の状態でもレンズ鏡胴の外形を小型に維持することができる。
【００５７】
なお、上記の各実施の形態で説明した光学系の構成は一例であり、本発明は反射部材の物体側に複数のレンズ群を有した屈曲光学系であれば適用可能である。
【図面の簡単な説明】
【００５８】
【図１】本実施の形態に係るレンズ鏡胴を備えた撮像装置の一例であるカメラの主要構成ユニットの内部配置の一例を示す斜視図である。
【図２】本実施の形態に係るレンズ鏡胴を示す図である。
【図３】第１の実施の形態に係るレンズ鏡胴の撮影状態と非撮影状態の、プリズムを保持する第３レンズ群鏡枠と、第２レンズ群鏡枠の状態を示す図である。
【図４】第２レンズ群鏡枠の回動及び移動の機構の一例を示す模式図である。
【図５】第１の実施の形態に係るレンズ鏡胴の非撮影時の第１レンズ群を沈胴させた状態を示す模式断面図である。
【図６】第２の実施の形態に係るレンズ鏡胴の撮影状態と非撮影状態の、プリズムを保持する第３レンズ群鏡枠と、第２レンズ群鏡枠の状態を示す図である。
【図７】第２の実施の形態に係るレンズ鏡胴の非撮影時の第１レンズ群を沈胴させた状態を示す模式断面図である。
【図８】第３の実施の形態に係るレンズ鏡胴の撮影状態と非撮影状態の、プリズムを保持する第３レンズ群鏡枠と、第２レンズ群鏡枠の状態を示す図である。
【図９】第３の実施の形態に係るレンズ鏡胴の非撮影時の第１レンズ群を沈胴させた状態を示す模式断面図である。
【符号の説明】
【００５９】
１１  第１レンズ群
１１ｋ  第１レンズ群鏡枠
１２  第２レンズ群
１２ｋ  第２レンズ群鏡枠
１３  第３レンズ群
１３ｋ  第３レンズ群鏡枠
１４  第４レンズ群
１４ｋ  第４レンズ群鏡枠
１５  第５レンズ群
１５ｋ  第５レンズ群鏡枠
１６、１７  ガイド軸
２０  板カム部
２２  バネ
４１  固定胴
４２  カム筒
４３  中間筒
５０  レンズ鏡胴
ＯＦ  光学フィルタ
Ｐ  プリズム
１００  カメラ
【図１】
2009181102.tif 000003
【図２】
2009181102.tif 000004
【図３】
2009181102.tif 000005
【図４】
2009181102.tif 000006
【図５】
2009181102.tif 000007
【図６】
2009181102.tif 000008
【図７】
2009181102.tif 000009
【図８】
2009181102.tif 000010
【図９】
2009181102.tif 000011